(57)【要約】【課題】  断線ペグの取り付けが容易で確実に行う。【解決手段】  保安器サブモジュールに付設された通信回線の切り離し試験を行うための試験弾器に断線ペグを装着するための断線ペグ取付装置であって、前記断線ペグを所定位置で位置決めするためのフレーム部と、前記保安器サブモジュールと着脱自在に嵌合するための嵌合部とを有することにより上記課題を解決する。【選択図】  図２
2006157079.tif 000002
【特許請求の範囲】
【請求項１】
保安器サブモジュールに付設された通信回線の切り離し試験を行うための試験弾器に断線ペグを装着するための断線ペグ取付装置であって、
前記断線ペグを所定位置で位置決めするためのフレーム部と、
前記保安器サブモジュールと着脱自在に嵌合するための嵌合部とを有することを特徴とする断線ペグ取付装置。
【請求項２】
前記フレーム部は、前記保安器サブモジュールの各回線に対応して前記断線ペグを位置決めするための係合用凹部を有することを特徴とする請求項１に記載の断線ペグ取付装置。
【請求項３】
前記フレーム部は、前記断線ペグの挿入面に前記試験弾器の回線に対応した番号、記号、所定の回線数毎に溝部、所定の回線数毎に着色等による色分け、及び所定の回線数毎にシボ加工による識別の少なくとも１つを有することを特徴とする請求項１又は２に記載の断線ペグ取付装置。
【請求項４】
請求項１乃至請求項３の何れか１項に記載の断線ペグ取付装置に対して用いられ、前記フレーム部内の所定の位置に位置決めするための位置決め係合用凸部と、
前記フレーム部内で係止するための係止用凸部とを有することを特徴とする断線ペグ。
【請求項５】
前記試験弾器のハウジング部に設けられた回線毎の開口部に挿入する挿入突起部の所定の位置に断線ペグ固定用突起部を設けたことを特徴とする請求項４に記載の断線ペグ。
【請求項６】
断線ペグの上部に前記断線ペグの横幅より幅の狭い押込部を中央部よりずらして形成したことを特徴とする請求項４又は５に記載の断線ペグ。
【請求項７】
請求項１乃至請求項３の何れか１項に記載の断線ペグ取付装置と嵌合するため、前記試験弾器のハウジング部に嵌合部を設けたことを特徴とする保安器サブモジュール。
【発明の詳細な説明】
【技術分野】
【０００１】
本発明は、断線ペグ取付装置、断線ペグ、及び保安器サブモジュールに係り、特に、断線ペグの取り付けが容易で確実に行うことができる断線ペグ取付装置、断線ペグ、及び保安器サブモジュールに関する。
【背景技術】
【０００２】
従来、電話やコンピュータ等、通信機能を有する機器間の通信回線（電線）を中継、又は分岐するための機器として端子板又は保安機能を有した保安器サブモジュールが用いられている。特に、電話局等においては、膨大な数の回線や端子を管理する必要があるため、加入者ケーブルを交換機に直接接続せずに、所定の地域や建物毎に設けられた端子板又は試験弾器機能を有した端子板に収容し管理している。また、通信回線から侵入してくる過電圧・過電流が通信機器に流入することを防止するために、電話局内等に通信機器用の保安器が設置されている。この保安器は、保安器サブモジュールを多段積みにして組立てたものである。
【０００３】
ところで、上述の保安器や交換機における更改作業、あるいは保安器や交換機に布設されている回線の入替え作業等で、回線の分岐、分断、接続等により回線を試験して、回線状態が正しいものかどうか電気的な導通チェックによる試験確認が必要となる。そのため、保安器（交換機）等と線路の間にスイッチ機能を有する弾器ユニットを具えた試験弾器を付設している。
【０００４】
ここで、一般的な試験弾器ユニットの構成としては、試験用プラグや断線ペグ等を挿入することで、接点を開いて通信回線の切り離しを行ったり、通信回線を分断せずに信号の取り出しを行うことで試験を行う。
【０００５】
つまり、端子板や保安器、あるいはその他の各種通信装置を変更したり、接続した回線を入れ替えたりする場合、回路が正常かどうかのチェックを行う必要があり、その操作は上述したような弾器ユニット内に試験用プラグや断線ペグ等を挿入し、加入者側と交換機側とを切り離したり、弾器の接点部を介して信号を取り出したり、又は信号を入力したりして各種チェックを行っている。
【０００６】
ここで、既に周知の技術として試験弾器機能が保安器サブモジュール内に付設させているものがある（例えば、特許文献１参照。）。
【０００７】
特許文献１に示されているように保安器サブモジュールに付設された断線ペグを用いて、図１に示す断線ペグの挿入例に示すように、試験弾器ハウジング１内にある１回線に対応した一対からなる弾器接点バネ２−１，２−２の接触部分を切り離し、電気的に非導通な状態にする。このため、図１（ａ）に示すように電気を通さない断線ペグ３の挿入突起部４−１，４−２を試験弾器ハウジング１の開口部５−１，５−２にそれぞれ挿入することにより、図１（ｂ）に示すように弾器接点バネ２−１，２−２が切り離され電気的に非導通な状態とすることができる。
【０００８】
また、線路の切り替え、あるいは局側通信装置の変更等を行う場合、一時的に迂回回路を形成することを可能にするため、回線の接続部には２つの端子が設けられている。これにより、例えば、現用交換機（保安器）から新交換機（保安器）等に変更するような場合、現運用中の通信が停止することなく、新交換機（保安器）への切り替えが可能となる。つまり、上述の切り替え作業を実現するために、現用試験弾器の他に変更用として新たに試験弾器を付設して、その弾器部に予め断線ペグを挿入しておき、互いのＵスリット端子同士をマルチ接続しておく。次に、切り替え工事が完了した時点で変更用試験弾器の弾器部に挿着してある断線ペグを抜き取って新設の通信装置に切り替えて作業が終了する。
【特許文献１】特開２００３−２１９４３８号公報
【発明の開示】
【発明が解決しようとする課題】
【０００９】
しかしながら、最近の通信回線の増加に伴い、保安器、端子板を高密度化し対応しているが、電話局に設置されている通信機器用保安器は、ＭＤＦへの取り付け寸法、許容スペース等の条件があり、試験弾器部の寸法も従来の寸法を確保できない。
【００１０】
例えば、通信回線回線の数を２倍に増加する場合、試験弾器部のサイズが２倍になり、ＭＤＦに取り付けたとき、作業員の腕が入る程のスペースがないため、ＭＤＦに取り付けた保安器サブモジュールに付設されている試験弾器に設けられた断線ペグ取付用の開口部は、作業員には見づらいため、他の回線に弾器ペグを差し込んでしまう等の作業ミスが発生してしまう恐れがある。
【００１１】
本発明は、上述した問題点に鑑みなされたものであり、作業員が断線ペグの取り付けを容易で確実に行うことができる断線ペグ取付装置、断線ペグ、及び保安器サブモジュールを提供することを目的とする。
【課題を解決するための手段】
【００１２】
上記課題を解決するために、本件発明は、以下の特徴を有する課題を解決するための手段を採用している。
【００１３】
請求項１に記載された発明は、保安器サブモジュールに付設された通信回線の切り離し試験を行うための試験弾器に断線ペグを装着するための断線ペグ取付装置であって、前記断線ペグを所定位置で位置決めするためのフレーム部と、前記保安器サブモジュールと着脱自在に嵌合するための嵌合部とを有することを特徴とする。
【００１４】
請求項１記載の発明によれば、作業員が断線ペグの取り付けを容易で確実に行うことができる。また、工事の正確性、安全性、作業時間の短縮等の効果を得ることができる。
【００１５】
請求項２に記載された発明は、前記フレーム部は、前記保安器サブモジュールの各回線に対応して前記断線ペグを位置決めするための係合用凹部を有することを特徴とする。
【００１６】
請求項２記載の発明によれば、予め所望する複数の回線を一度にプリセットしておくことができるため、作業員の作業効率を向上させることができる。
【００１７】
請求項３に記載された発明は、前記フレーム部は、前記断線ペグの挿入面に前記試験弾器の回線に対応した番号、記号、所定の回線数毎に溝部、所定の回線数毎に着色等による色分け、及び所定の回線数毎にシボ加工による識別の少なくとも１つを有することを特徴とする。
【００１８】
請求項３記載の発明によれば、作業員は、断線ペグ取付装置を見るだけで、保安器サブモジュールに付設された試験弾器の回線との対応付けを容易に把握することができる。これにより、作業員の回線間違え等の作業ミスを防止することができる。
【００１９】
請求項４に記載された発明は、請求項１乃至請求項３の何れか１項に記載の断線ペグ取付装置に対して用いられ、前記フレーム部内の所定の位置に位置決めするための位置決め係合用凸部と、前記フレーム部内で係止するための係止用凸部とを有することを特徴とする。
【００２０】
請求項４記載の発明によれば、作業員が断線ペグの取り付けを容易で確実に行うことができる。また、工事の正確性、安全性、作業時間の短縮等の効果を得ることができる。
【００２１】
請求項５に記載された発明は、前記試験弾器のハウジング部に設けられた回線毎の開口部に挿入する挿入突起部の所定の位置に断線ペグ固定用突起部を設けたことを特徴とする。
【００２２】
請求項５記載の発明によれば、断線ペグ取付装置を取り外す場合でも断線ペグ８０同時に抜けてしまうことを防止することができる。また、断線ペグのみが装着された場合であっても容易に抜けてしまうことを防止することができる。
【００２３】
請求項６に記載された発明は、断線ペグの上部に前記断線ペグの横幅より幅の狭い押込部を中央部よりずらして形成したことを特徴とする。
【００２４】
請求項６記載の発明によれば、これにより、隣接する断線ペグも取り外してしまう等の作業員の取り外し時における作業ミスを防止することができる。また、容易で確実に取り外し作業を行うことができ、作業時間の短縮を実現することができる。
【００２５】
請求項７に記載された発明は、請求項１乃至請求項３の何れか１項に記載の断線ペグ取付装置と嵌合するため、前記試験弾器のハウジング部に嵌合部を設けたことを特徴とする。
【００２６】
請求項７記載の発明によれば、作業員が断線ペグの取り付けを容易で確実に行うことができる。また、工事の正確性、安全性、作業時間の短縮等の効果を得ることができる。
【発明の効果】
【００２７】
本発明によれば、作業員が断線ペグの取り付けを容易で確実に行うことができる。また、工事の正確性、安全性、作業時間の短縮等の効果を得ることができる。
【発明を実施するための最良の形態】
【００２８】
＜本発明の概要＞
本発明は、ＭＤＦに取り付けた保安器サブモジュールの試験弾器に設けられた断線ペグを挿入するための開口部に断線ペグを直接取り付けるのではなく、断線ペグ取付装置により作業員が前もって作業のしやすい場所で必要な回線に断線ペグをプリセットしてから保安器サブモジュールに取り付けを行う。
【００２９】
以下に、本発明の特徴を有する断線ペグ取付装置、断線ペグ、及び保安器サブモジュールを好適に実施した形態について、図面を用いて詳細に説明する。
【００３０】
図２は、本発明における断線ペグ取付装置の構成と、断線ペグの取り付けの様子とを説明するための一例の図である。図２における断線ペグ取付装置１０は、フレーム部１１と、保安器サブモジュールに付設されている試験弾器の断線ペグ挿入面に嵌合させるための試験弾器ハウジング嵌合部１２を有するよう構成されている。なお、図２では試験弾器ハウジング嵌合部１２の個数は計８個であるが、本発明における個数及び位置については特に限定されない。また、試験弾器ハウジング嵌合部１２は、保安器サブモジュールと着脱自在に取り付けが可能であれば、その形状や保安器サブモジュール側の取り付け位置は特に限定されない。
【００３１】
フレーム部１１は、断線ペグ挿入方向に開口面を有し、挿入面側のフレームには保安器サブモジュールに付設されている試験弾器の回線に対応した番号又は記号が記載されている。なお、図１では、１６回線分の試験弾器に対応した断線ペグ取付装置を示しているが、本発明における回線数については、特に限定されない。また、フレーム部１１には、所定の回線数毎に作業員の目印となる溝部１３を設けたり、所定の回線数毎に着色等による色分けや、所定の回線数毎にシボ加工による識別をしてもよい。また、上述した番号、記号、溝部１３、及び着色等による色分け、シボ加工の幾つかを組合わせてもよい。
【００３２】
このような、フレーム部１１を有することにより、作業員は、断線ペグ取付装置１０を見るだけで、保安器サブモジュールに付設された試験弾器の回線との対応付けを容易に把握することができる。このため、作業員の回線間違え等の作業ミスを防止することができる。
【００３３】
また、フレーム部１１の開口内部の側面には、上述した番号又は記号毎に対応した係合部としての係合用凹部１４が設けられている。また、それぞれの係合用凹部１４には、断線ペグ１６を係止するための係止部としての係止用穴１５が設けられている。なお、係止部は穴に限定されず、例えば断線ペグ１６を係止するための凹部や凸部を有していてもよい。
【００３４】
一方、断線ペグ１６は、上述した断線ペグ取付装置１０の係合用凹部１４に対応して断線ペグ１６を位置決めして挿入するための位置決め係合用凸部１７−１，１７−２と、位置決め係合用凸部１７の外側に設けられる係止用穴１５に対応する係止用凸部１８−１，１８−２と、断線ペグ１６をフレーム部１１の開口面内に挿入する際に所定の位置でフレーム部と接触して停止するための停止用突起部１９−１，１９−２と、試験弾器の回線に対応する開口部に挿入され一対からなる弾器接点バネを非接触にするための挿入突起部２０−１，２０−２とを有する。
【００３５】
次に、断線ペグの取り付けの様子について説明する。図２（ａ）に示すように、断線ペグ１６を所望する回線を電気的に非導通にするため、位置決め係合用凸部１７−１，１７−２をフレーム部１１の回線毎に設けられた係合用凹部１４に挿入する。また、挿入後は、図２（ｂ）、及び接合時の断面図である図２（ｃ）に示すように、係止用穴１５−１，１５−２と係止用凸部１８−１，１８−２とにより断線ペグ１６がフレーム部１１に係止される。また、停止用突起部１９−１，１９−２により、断線ペグ１６をフレーム部１１の開口面内に挿入時に所定の位置でフレーム部の挿入面と接触して停止することができると共に、断線ペグ１６を取り外ししやすくしている。
【００３６】
このようにして、断線ペグが設置された断線ペグ取付装置１０を、例えば、保安器サブモジュールに付設された試験弾器の断線ペグ挿入面に設けられている試験弾器ハウジングと試験弾器ハウジング嵌合部１２とにより嵌合させることで、断線ペグ１６の挿入突起部２０−１，２０−２が、図１に示すような、保安器サブモジュールに付設されている試験弾器に設けられた断線ペグ取付用の開口部に挿入され、一対からなる弾器接点バネを非接触にすることにより、回線の電気的な導通チェックによる試験を容易に行うことができる。
【００３７】
このように、断線ペグ取付装置１０を有することにより、作業員がＭＤＦに既に取り付けられている保安器サブモジュールに付設されている試験弾器の開口部に断線ペグを挿入する作業を行うよりも、容易で確実に断線ペグの挿入を行うことができる。
【００３８】
なお、本発明では、図３の断線ペグのプリセット例に示すように予め所望する複数の回線に断線ペグ１６−１，１６−２，１６−３を挿入（図３（ａ））し、プリセットさせておくことができる（図３（ｂ））。これにより、予め所望する複数の回線を一度にプリセットしておくことができるため、作業員の作業効率を向上させることができる。
【００３９】
次に、断線ペグ取付装置１０を嵌合させる保安器サブモジュールについて、図を用いて説明する。図４は、本発明における保安器サブモジュールについて説明するための一例の図である。図４に示す保安器サブモジュール４０は、１６回線に対応するスリット端子４１を保護、固定するスリット端子ハウジング４２と、試験弾器ハウジング４３と、８回線に対応した通信線用コネクタと嵌合する段差が設けられた２つのコネクタ嵌合部４４−１，４４−２と、ジャンパ線を挿入して表裏２枚の基板４５の間を通してスリット端子４１と結線させるための通線口を有する通線口ユニット４６とにより、表裏２枚の基板４５が保持されている。
【００４０】
なお、図４に示す保安器サブモジュール４０の各構成部の具体的な機能については、上述した特許文献１に示されている保安器サブモジュールの各構成部の機能とほぼ同一であるため、詳細な説明は省略する。
【００４１】
本発明では、保安器サブモジュール４０の試験弾器ハウジング４３に上述した試験弾器ハウジング嵌合部１２と嵌合させるための嵌合部としての嵌合溝４７が、各回線毎に設けられている。なお、本発明において嵌合部は溝に限定されず、試験弾器ハウジング嵌合部１２に対応した形状であればよい。また、嵌合溝４７を各回線毎に設けておくことで、断線ペグ取付装置１０の試験弾器ハウジング嵌合部１２の位置が変更された場合であっても対応することができる。
【００４２】
図５は、本発明の断線ペグ取付装置の保安器サブモジュールへの取り付けについて説明するための一例の図である。なお、図５は、試験弾器ハウジング４３の拡大図を示している。図５（ａ）に示すように、断線ペグ取付装置１０を試験弾器ハウジング４３の断線ペグ挿入面に対して矢印に示す方向に移動させることで、図５（ｂ）に示すように、試験弾器ハウジング嵌合部１２と嵌合溝４７とにより、保安器サブモジュールと断線ペグ取付装置とを容易に接続することができる。
【００４３】
また、図６の本発明における断線ペグ取付装置を用いた断線ペグ挿入例に示すように、弾器試験を行う回線に対応してフレーム部１１に断線ペグ１６がプリセットされた断線ペグ取付装置を図６（ａ）の矢印に示す方向に移動させることで、図５に示すような取り付けを容易に行うことができる。また、図６（ｂ）の拡大図に示すように断線ペグ取付装置１０が保安器サブモジュールに着脱自在に取り付けられることにより、断線ペグ１６の挿入突起部２０−１，２０−２が図５に示す試験弾器の回線に対応する開口部４８に挿入され、図１に示すように一対からなる弾器接点バネを非接触にすることができる。
【００４４】
なお、上述した断線ペグ取付装置は、断線ペグと共に保安器サブモジュールとの着脱を行うが、本発明においてはこの限りではなく、例えば、まず、断線ペグがプリセットされた断線ペグ取付装置を保安器サブモジュールに取り付け、その後、試験弾器の回線に対応する開口部に装着された断線ペグを残したまま、断線ペグ取付装置のみを取り外すように構成してもよい。
【００４５】
ここで、上述の内容について図を用いて説明する。図７は、本発明における断線ペグ取付装置の着脱の様子を説明するための一例の図である。まず、図７（ａ）に示すようにフレーム部１１の開口面内に断線ペグを挿入する。このとき、断線ペグ７０は、図７に示すようにフレーム部１１と接触して停止するための停止用突起部を有してなく、位置決め係合用凸部１７−１，１７−２と、係止用凸部１８−１，１８−２とを有する断線ペグを用いる。
【００４６】
また、図７（ｂ）に示すように、断線ペグ７０をフレーム部１１に取り付けた状態で、断線ペグ取付装置１０を保安器サブモジュールに取り付ける。これにより、断線ペグ１６の挿入突起部が試験弾器の回線に対応する開口部に挿入され、一対からなる弾器接点バネを非接触にする。
【００４７】
更に、図７（ｂ）に示すように係止用穴１５−１，１５−２には、係止用凸部１８−１，１８−２に対応して断線ペグ７０を装着させたまま断線ペグ取付装置１０のみを取り外すことができるように、所定の大きさの取外用開口部７１−１，７１−２を有している。これにより、図７（ｃ）に示すように断線ペグ７０を残したまま、断線ペグ取付装置１０のみを取り外すことができる。
【００４８】
このような構成にすることにより、一度取り付けた断線ペグを取り外さずに、試験弾器の他の回線位置に対して本発明の断線ペグ取付装置を用いて断線ペグを取り付けることができる。
【００４９】
また、上述したように試験弾器ハウジングの回線に対応する開口部に装着された断線ペグを残したまま、断線ペグ取付装置のみを取り外す場合、断線ペグも同時に抜けてしまうことを防止するため、断線ペグの挿入突起部の所定の位置に断線ペグ固定用突起部を設け、試験弾器ハウジングの内部と係止させる。
【００５０】
更に、断線ペグの取り外し時には、通常、断線ペグ押込部に設けられた取外穴に取り外し工具を引っ掛けて引き抜くことで断線ペグを取り外す手法や、予め取外穴に紐等を結んでおき、取り外し時にその紐を引っ張ることで断線ペグを取り外す手法、直接断線ペグを持って引き抜くことで取り外す手法等があるが、断線ペグが試験弾器の連続する回線に挿入されている場合には、両側の断線ペグが邪魔になるため、断線ペグの取り外し作業に時間を要してしまう。また、取り外す予定の断線ペグに隣接する断線ペグも同時に取り外してしまう等の問題も生じる。
【００５１】
そこで、本発明では、断線ペグの上部に断線ペグの横幅より幅の狭い押込部を、中央部よりずらして形成する。この断線ペグを用いて断線ペグの装着時に隣接する断線ペグの向きを交互にすることで、断線ペグの取外穴をずらすこともでき、取り外し作業を容易で確実に行うことができる。
【００５２】
ここで、上述した断線ペグの具体的な内容について図を用いて説明する。図８は、本発明における断線ペグの装着の様子と断線ペグ取付装置の着脱の様子を説明するための一例の図である。
【００５３】
まず、図８（ａ）に示すように、断線ペグ８０は、係止用凸部８１−１，８１−２を有しており、また、試験弾器１００に設けられた一対の弾器接点バネ１０１−１（１０１−１ａ，１０１−１ｂ），１０１−２（１０１−２ａ，１０１−２ｂ）を保護する試験弾器ハウジング１０２の開口部１０３−１，１０３−２に挿入するための挿入突起部８２−１，８２−２の所定の位置に、断線ペグ固定用突起部８３−１，８３−２が形成されている。
【００５４】
また、断線ペグ８０の上部には、断線ペグ８０の横幅より幅の狭い押込部８４が中央部よりずらして形成されている。また、押込部８４には取外穴８５が形成されている。更に、断線ペグ８０は、断線ペグ取付装置９０の内部でのスライド移動を行うため、係止用凸部８１−１，８１−２を断線ペグ８０の内側に移動できるように係止用凸部移動用開口部８６−１，８６−２が形成されている。
【００５５】
上述したような断線ペグ８０の係止用凸部８１−１，８１−２を電気的に非導通にする回線に対応する断線ペグ取付装置９０のフレーム部９１に設けられる係合凹部に挿入し、図８（ｂ）に示すように係止用凸部８１−１，８１−２と係止用穴９２−１，９２−２により、断線ペグ８０がフレーム部９１に係止（プリセット）される。
【００５６】
次に、断線ペグ８０がプリセットされた断線ペグ取付装置９０を試験弾器ハウジング１０２の試験弾器ハウジング嵌合部９３−１，９３−２と試験弾器ハウジング１０２に設けられた嵌合溝１０４−１，１０４−２とが嵌合することにより、図８（ｃ）に示すように断線ペグ８０がプリセットされた断線ペグ取付装置９０を試験弾器１００に取り付けることができる。
【００５７】
次に、断線ペグ取付装置９０にプリセットされている断線ペグ８０を押込部８４により作業員が押し込むことで、図８（ｄ）に示すように、断線ペグ８０の挿入突起部８２−１，８２−２が開口部１０３−１，１０３−２にそれぞれ挿入する。このとき、挿入突起部８２−１，８２−２により弾器接点バネ１０１―１ａと１０１−１ｂが非接触（非導通）となり、弾器接点バネ１０１―２ａと１０１−２ｂが非接触（非導通）となる。また、断線ペグ取付装置９０を取り外す場合でも断線ペグ固定用突起部８３−１，８３−２が試験弾器ハウジング１０２の内部に入り込み係止されることで、断線ペグ８０まで同時に抜けてしまうことを防止することができる。また、図８（ｅ）に示すように断線ペグ８０のみが装着された場合であっても容易に抜けてしまうことを防止することができる。
【００５８】
また、図９は、図８に示す断線ペグを複数装着した例を示す図である。図９に示すように、断線ペグ８０を隣接して装着する場合には、押込部８４−１〜８４−３等に示すように交互に装着することで、押込部８４をずらすことができ、また取外穴８５の位置もずらすことができる。これにより、作業員が取り外す予定の断線ペグに隣接する断線ペグも取り外してしまう等の作業員の取り外し時における作業ミスを防止することができる。また、容易で確実に取り外し作業を行うことができ、作業時間の短縮を実現することができる。なお、図９に示すように断線ペグ取付装置９０の側面にも取外穴９４を設けておくことで、断線ペグ取付装置９０を取外し作業を断線ペグ８０の取外し手法と同様に行うこともできる。
【００５９】
上述したように、本発明によれば、断線ペグ取付装置により作業員が前もって作業のしやすい場所で必要な回線に断線ペグをプリセットしてから保安器サブモジュールに取り付けを行うことにより、作業員が断線ペグの取り付けを容易で確実に行うことができる。また、工事の正確性、安全性、作業時間の短縮等の効果を得ることができる。
【００６０】
なお、上述した断線ペグ取付装置は、保安器サブモジュールだけでなく、端子板サブモジュール等にも適用することができる。また、本発明における断線ペグ取付装置には、断線ペグ以外に試験プラグや導通、非導通を電気的にＯＮ／ＯＦＦするためのスイッチ付きの断線ペグを取り付けることにより、通信回線の切り離し試験を行うことができる。
【００６１】
以上、本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００６２】
【図１】断線ペグの挿入例を示す図である。
【図２】本発明における断線ペグ取付装置の構成と、断線ペグの取り付けの様子とを説明するための一例の図である。
【図３】断線ペグのプリセット例を示す図である。
【図４】本発明における保安器サブモジュールについて説明するための一例の図である。
【図５】本発明の断線ペグ取付装置の保安器サブモジュールへの取り付けについて説明するための一例の図である。
【図６】本発明における断線ペグ取付装置を用いた断線ペグ挿入例を示す図である。
【図７】本発明における断線ペグ取付装置の着脱の様子を説明するための一例の図である。
【図８】本発明における断線ペグの装着の様子と断線ペグ取付装置の着脱の様子を説明するための一例の図である。
【図９】図８に示す断線ペグを複数装着した例を示す図である。
【符号の説明】
【００６３】
１，４３，１０２  試験弾器ハウジング
２，１０１  弾器接点バネ
３，１６，８０  断線ペグ
４，２０，８２  挿入突起部
５，４８，１０３  開口部
１０，９０  断線ペグ取付装置
１１，９２  フレーム部
１２，９３  試験弾器ハウジング嵌合部
１３  溝部
１４  係合用凹部
１５，９１  係止用穴
１７  位置決め係合用凸部
１８，８１  係止用凸部
１９  停止用突起部
４０  保安器サブモジュール
４１  スリット端子
４２  スリットハウジング
４４  嵌合部
４５  基板
４６  通線口ユニット
４７，１０４  嵌合溝
７１  取外用開口部
８３  断線ペグ固定用突起部
８４  押込部
８５，９４  取外穴
８６  係止用凸部移動用開口部
１００  試験弾器
【図１】
2006157079.tif 000003
【図２】
2006157079.tif 000004
【図３】
2006157079.tif 000005
【図４】
2006157079.tif 000006
【図５】
2006157079.tif 000007
【図６】
2006157079.tif 000008
【図７】
2006157079.tif 000009
【図８】
2006157079.tif 000010
【図９】
2006157079.tif 000011